(57)【要約】【課題】ＥＤＩＤに関する通信が失敗しても、メディアに記録されている画像や音声を視聴できるようにした再生装置を提供する。【解決手段】制御部４は、テレビジョン１０１とＨＤＭＩケーブルを介してＥＤＩＤの通信を行う。通信により取得されるＥＤＩＤは、制御部４のＲＡＭ４Ａに展開される。ＥＤＩＤの通信が終了すると、制御部４は、ＲＡＭ４Ａ上に展開したＥＤＩＤを解析して、ＥＤＩＤの内容を調べる。そして、制御部４は、ＥＤＩＤの内容に基づいて、ＥＤＩＤの通信が成功したか否かを判断する。ＥＤＩＤの通信が失敗した場合（図３の（Ｂ）参照）、制御部４は、音声処理部１１及び画像処理部１３が出力するコンテンツデータの形式を、記述されていない一部の形式については所定形式に設定し、記述されている形式については該ＥＤＩＤに基づいて設定する。最後に、光ディスク装置１は、設定した形式で画像データと音声データの出力を開始する。【選択図】  図３
2009017082.tif 000002
【特許請求の範囲】
【請求項１】
コンテンツデータが記録されているメディアから、該コンテンツデータを読取る読取手段と、
前記読取手段で読取られた前記コンテンツデータを、設定された形式で出力する出力手段と、を備え、前記出力手段から出力されたコンテンツデータを処理して画像又は音声の少なくとも一方を前記形式で出力する処理装置に、インタフェースを介して接続される再生装置において、
前記出力手段が前記コンテンツデータを出力する前に前記処理装置と前記インタフェースを介して通信し、前記処理装置が対応する出力画像の全形式又は出力音声の全形式の内の少なくとも一方の全形式を示すＥＤＩＤを取得する制御手段を備え、
前記制御手段は、前記通信の終了後、取得した前記ＥＤＩＤに、前記少なくとも一方の全形式が全て記述されているかどうかを判断し、
（Ａ）取得した前記ＥＤＩＤに前記少なくとも一方の全形式が全て記述されている場合、前記出力手段が出力する前記コンテンツデータの形式を、該ＥＤＩＤに基づいて設定し、
（Ｂ）取得した前記ＥＤＩＤに前記少なくとも一方の全形式が一部記述されていない場合、前記出力手段が出力する前記コンテンツデータの形式を、記述されていない一部の形式については所定形式に設定し、記述されている形式については該ＥＤＩＤに基づいて設定する再生装置。
【請求項２】
前記形式は、前記コンテンツデータに含まれる画像データの解像度およびアスペクト比、前記コンテンツデータに含まれる音声データの符号化方式である音声フォーマットであり、
前記出力手段は、前記読取手段で読取られた前記コンテンツデータを、前記制御手段により設定された前記解像度、前記アスペクト比、及び前記音声フォーマットで出力する請求項１に記載の再生装置。
【請求項３】
前記インタフェースは、ＨＤＭＩ規格のインタフェースである請求項１又は２に記載の再生装置。
【請求項４】
前記メディアは、光ディスクであり、
前記処理装置は、テレビ受像機である請求項１から３のいずれかに記載の再生装置。
【発明の詳細な説明】
【技術分野】
【０００１】
本発明は、メディアからコンテンツデータを読取って、装置本体に接続される処理装置に出力する再生装置に関し、特に、出力前に処理装置と通信し、処理装置から取得したＥＤＩＤに基づいてコンテンツデータの出力形式を設定する再生装置に関するものである。
【背景技術】
【０００２】
従来、ＣＤ、ＤＶＤ等のメディアに記録されている画像や音声を再生する再生装置が実用化され、一般に普及している。
このような再生装置には、近年、再生画像と再生音声を出力するテレビジョン等がインタフェースを介して接続される。このインタフェースは、例えばHDMI（High  Definition  Multimedia  Interface）である。ユーザは、このテレビジョンにおいて、再生装置から出力された画像データに基づく画像、及び音声データに基づく音声を視聴することができる。
このような再生装置において、装置本体に接続されるテレビジョン等のスペックは各々異なる。そのため、再生装置は、装置本体に接続されるテレビジョン等のスペックに応じてコンテンツデータの出力形式を変えている。例えば、メディアに記録されている画像の解像度と、接続されるテレビジョンが対応している解像度と、は必ずしも一致していない。そのため、再生装置は、メディアから読取った画像データをそのまま出力するのではなく、テレビジョンが対応する表示可能な解像度に自動的に変換した上で、テレビジョンに出力している。特に、HDMI規格では、テレビジョンが対応している複数の解像度をテレビジョンから取得できるため、再生装置は、複数の解像度の中で最高の解像度に自動的に変換してテレビジョンに出力している。
【０００３】
上記出力形式を決めるため、再生装置は、コンテンツデータの出力前にテレビジョンとインタフェースを介して通信する。これにより、再生装置は、テレビジョンから、ＥＤＩＤ(Extended Display Identification Data)を取得する。ＥＤＩＤは、テレビジョンのスペック（仕様や特性）を示す情報である。再生装置は、取得したＥＤＩＤに基づいてコンテンツデータの出力形式を設定する。そして、再生装置は、設定された形式でコンテンツデータを出力する。
一方、特許文献１では、デジタル放送受信装置が提案されている。
【特許文献１】特開２００２−１７６５９４公報
【発明の開示】
【発明が解決しようとする課題】
【０００４】
しかしながら、通信エラー等によりＥＤＩＤの一部が欠損し、接続されているテレビジョンのスペックが再生装置側で不明な場合があった。この場合、上記従来の再生装置は、出力形式を設定できないため、コンテンツデータを出力することなくエラー終了していた。すると、テレビジョンから画像や音声が再生されず、ユーザは、メディアに記録されている画像や音声を視聴できない。
よって、従来の再生装置では、通信エラー等によりＥＤＩＤの一部が欠損した場合テレビジョンから画像や音声が再生されないので、再生装置が故障したのではないかとユーザに誤解されるおそれがあった。従って、従来の再生装置は、クレームの対象となることもあった。
【０００５】
本発明はこのような従来の課題を解決しようとするものであり、ＥＤＩＤに関する通信が失敗しても、メディアに記録されている画像や音声を視聴できるようにした再生装置を提供することを目的とする。
【課題を解決するための手段】
【０００６】
本発明の再生装置は、前記課題を解決するために以下の構成を備えている。
【０００７】
（１）コンテンツデータが記録されているメディアから、該コンテンツデータを読取る読取手段と、
前記読取手段で読取られた前記コンテンツデータを、設定された形式で出力する出力手段と、を備え、前記出力手段から出力されたコンテンツデータを処理して画像又は音声の少なくとも一方を前記形式で出力する処理装置に、インタフェースを介して接続される再生装置において、
前記出力手段が前記コンテンツデータを出力する前に前記処理装置と前記インタフェースを介して通信し、前記処理装置が対応する出力画像の全形式又は出力音声の全形式の内の少なくとも一方の全形式を示すＥＤＩＤを取得する制御手段を備え、
前記制御手段は、前記通信の終了後、取得した前記ＥＤＩＤに、前記少なくとも一方の全形式が全て記述されているかどうかを判断し、
（Ａ）取得した前記ＥＤＩＤに前記少なくとも一方の全形式が全て記述されている場合、前記出力手段が出力する前記コンテンツデータの形式を、該ＥＤＩＤに基づいて設定し、
（Ｂ）取得した前記ＥＤＩＤに前記少なくとも一方の全形式が一部記述されていない場合、前記出力手段が出力する前記コンテンツデータの形式を、記述されていない一部の形式については所定形式に設定し、記述されている形式については該ＥＤＩＤに基づいて設定する。
【０００８】
この構成において、メディアは、例えば、ＤＶＤなどの光ディスク、ＳＤカードなどの半導体メディア、ハードディスクである。処理装置は、例えば、モニタ、又はテレビ受像機である。ＥＤＩＤは、処理装置のスペック（仕様や特性）を示す情報であり、ＥＤＩＤには、処理装置が対応する出力画像の全形式又は出力音声の全形式が記述されている。
【０００９】
この構成では、出力形式を決めるため、再生装置は、コンテンツデータの出力前にテレビジョンとインタフェースを介して通信する。これにより、制御手段は、処理装置から、ＥＤＩＤを取得する。さらに、制御手段は、取得したＥＤＩＤに、全形式が記述されているかどうか判断する。即ち、ＥＤＩＤの一部に欠損部分がないかどうか判断する。そして、制御手段は、その判断結果に応じて、（Ａ）又は（Ｂ）のいずれか一方の処理を実行する。
取得したＥＤＩＤに、全形式が一部記述されていない場合、即ち、ＥＤＩＤの一部に欠損部分がある場合、制御手段は、（Ｂ）の処理を実行する。ここで、所定形式は、予め定められる形式であり、流通しているテレビジョンにおいて汎用性が高い形式に定めるのが好ましい。そして、最後に、出力手段は、読取手段で読取られたコンテンツデータを、制御手段により設定された形式で出力する。
以上により、再生装置は、出力形式を全て設定できるため、エラー終了することがない。そのため、再生装置では、ＥＤＩＤの一部が欠損していた場合でも、画像又は音声の少なくとも一方が処理装置から再生される。
よって、ＥＤＩＤに関する通信が失敗しても、ユーザが、メディアに記録されている画像や音声を視聴できる。そのため、再生装置では、装置本体が故障したのではないかとユーザに誤解されない。従って、再生装置が、クレームの対象となることを防止できる。
【００１０】
（２）前記形式は、前記コンテンツデータに含まれる画像データの解像度およびアスペクト比、前記コンテンツデータに含まれる音声データの符号化方式である音声フォーマットであり、
前記出力手段は、前記読取手段で読取られた前記コンテンツデータを、前記制御手段により設定された前記解像度、前記アスペクト比、及び前記音声フォーマットで出力する。
【００１１】
この構成において、解像度は、例えば４８０画素、７２０画素である。アスペクト比は、例えば４：３、または１６：９である。音声フォーマットは、例えばドルビーディジタルである。
【００１２】
（３）前記インタフェースは、ＨＤＭＩ規格のインタフェースである。
【００１３】
（４）前記メディアは、光ディスクであり、
前記処理装置は、テレビ受像機である。
【００１４】
この構成において、光ディスクは、例えばＣＤ、ＤＶＤ、又はブルーレイディスクである。
【発明の効果】
【００１５】
この発明によれば、ＥＤＩＤに関する通信が失敗しても、ユーザが、メディアに記録されている画像や音声を視聴できる。
【発明を実施するための最良の形態】
【００１６】
以下、本発明の実施形態である光ディスク装置について説明する。
【００１７】
図１は、本発明の実施形態である光ディスク装置の主要な構成を示すブロック図である。光ディスク装置１は、装置本体１の各部の動作を制御する制御部４と、装置本体にセットされている光ディスク１００からデータを読取るピックアップヘッド２（以下、PUヘッド２と称する。）と、RFアンプなどの再生部３と、ユーザからの入力操作を受け付ける操作部５と、情報を表示する表示部７と、データを記憶する記憶部６と、音声信号を出力する音声処理部１１と、画像信号を出力する画像処理部１３と、HDMIポート２０と、を備えている。
【００１８】
光ディスク１００は、ＤＶＤ（Digital Versatile Disk）であり、光ディスク装置１は、所謂ＤＶＤプレーヤである。光ディスク１００には、テレビ番組などのコンテンツデータが記録されている。また、光ディスク装置１は、HDMIポート２０に差し込まれたHDMIケーブル２１を介して、HDMI規格対応のテレビ受像機（以下、テレビジョンと称する）１０１に接続されている。テレビジョン１０１は、音声信号をD／A変換し、音声を外部に発する音声出力部を有する。
ここで、ＰＵヘッド２及び再生部３が、本発明の「読取手段」に相当する。また、HDMIポート２０及びHDMIケーブル２１が、本発明の「インタフェース」に相当する。また、画像処理部１３及び音声処理部１１が、本発明の「出力手段」に相当する。また、テレビジョン１０１が、本発明の「処理装置」に相当する。
【００１９】
ＨＤＭＩは、High  Definition  Multimedia  Interfaceの略であり、ＤＶＤ再生装置等の出力装置からテレビ画像受像機やプロジェクタ表示装置等の表示装置へディジタルＡ／Ｖ信号を伝送するためのインタフェースである。ＨＤＭＩは、従来の規格であるＤＶＩ（Digital  Visual  Interface  for  Computer）Ver1.0を拡張したものである。具体的には、ＤＶＩは画像情報のみを送信する規格であるのに対し、ＨＤＭＩは、画像情報の他、音声情報およびその他の情報も一のケーブルで送信できる規格である。さらに、ＨＤＭＩは、高品質のマルチチャンネル音声と高解像度の各種フォーマットの画像信号（映像信号）の伝送が可能である。
ＨＤＭＩは、DDC（Display  Date  Channel）により、テレビジョン１０１が光ディスク装置１に送信する情報を伝送することができる。DDCは、通信形式の名称である。
【００２０】
PUヘッド２は、図示しないレーザダイオード（ＬＤ）、コリメータレンズ、ビームスプリッタ、対物レンズ、フォトディテクタ、スレッドモータ、及び２軸のアクチュエータを備えている。
ＰＵヘッド２は、光ディスク１００の半径方向に延びる軸に移動自在に取り付けられている。スレッドモータが、ＰＵヘッド２を光ディスク１００の半径方向に移動する。
ＬＤは、レーザ光を出力する光源であり、フォトディテクタは、複数の受光素子で形成されており、光ディスク１００からの反射光を検出する。フォトディテクタは、例えば、受光領域がほぼ均等に４分割されており、４つの受光領域を形成している。
対物レンズは、光ディスク１００に対するレーザ光の照射位置を調節する。また、２軸のアクチュエータは、対物レンズを光ディスク１００に接離する方向、及び光ディスク１００の半径方向に移動させる。
【００２１】
まず、再生時の動作について説明する。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
【００２２】
再生部３は、ＰＵヘッド２における複数の受光素子の出力に基づいてＲＦ信号を生成し、該ＲＦ信号を増幅する。そして、再生部３は、該ＲＦ信号を処理して画像データと音声データとを取り出し、それぞれデコードする。ここで、取り出される画像データは、例えばＭＰＥＧでエンコードされている。また、取り出される音声データは、例えばＭＰＥＧ、AC３でエンコードされている。そして、再生部３は、音声データを音声処理部１１に、画像データを画像処理部１３に、両データの同期を取りながら、それぞれ出力する。
【００２３】
音声処理部１１は、伸長された音声データをディジタルの再生音声信号として外部のテレビジョン１０１に出力する。この際、音声処理部１１は、制御部４により設定された形式で音声データをテレビジョン１０１に出力する。この形式は、例えば音声フォーマットである。例えば音声フォーマットがＡＣ３であれば、５、１ＣＨサラウンドシステムに対応する再生音声信号（センター、左、右、リア左、リア右、ウーファー）をテレビジョン１０１に出力する。
【００２４】
一方、画像処理部１３は、伸長された画像データを、制御部４によって設定された形式に変換する。この形式は、例えば解像度、アスペクト比である。そして、画像処理部１３は、変換後の信号をディジタルの再生画像信号として外部のテレビジョン１０１に出力する。
なお、この解像度変換では、例えば、光ディスク１００に記憶された画像が１２８０× １０２４画素（ピクセル）のいわゆるＳＸＧＡの画像であり、テレビジョン１０１が６４０×５１２画素の画像を表示可能である場合、水平方向の解像度が丁度１／２なので、水平方向の解像度が落とされる。解像度を落とすためには、補間処理等を行なう。補間処理とは、例えば、水平方向に隣接する二つの画素の画像信号を読み出し、これを平均化して、一つの画素の画像信号として出力する処理である。
また、このアスペクト比変換では、光ディスク１００のコンテンツが１６：９で記録されている場合であってテレビジョン１０１の画面サイズが４：３である場合、画像データは１６：９のレターボックスに変換される。
【００２５】
音声処理部１１及び画像処理部１３は、上記のディジタル信号を、ＨＤＭＩケーブル２１を介して、ＴＭＤＳ（Transition  Minimized  Differential  Signaling）方式でテレビジョン１０１に送信する。
【００２６】
音声処理部１１及び画像処理部１３は、HDMIポート２０に差し込まれたHDMIケーブル２１を介してテレビジョン１０１と繋がっている。ユーザは、このテレビジョン１０１において、画像処理部１３から出力された画像信号に基づく画像、及び音声処理部１１から出力された音声信号に基づく音声を視聴することができる。
【００２７】
操作部５には、ユーザが光ディスク装置１に対して各種の命令（コマンド）を入力するための複数のキーが設けられている。この複数のキーには、光ディスク１００の再生を実行するための再生キー（不図示）、装置本体１の電源オンと電源オフを切替える電源キー（不図示）、が設けられている。光ディスク装置１に対してユーザが入力したコマンドは制御部４に伝送される。
【００２８】
記憶部６は、例えばＥＥＰＲＯＭで構成されている。記憶部６は、装置本体１の各部の制御方法が記述された制御プログラムを記憶する。
【００２９】
表示部７は、例えばLCD（Liquid Crystal Display）で構成される。表示部７は、時刻、光ディスク装置１の設定状態などを表示する。
【００３０】
ＨＤＭＩポート２０は、ＨＤＭＩケーブル２１により、光ディスク装置１とテレビジョン１０１との接続の有無を検出している。具体的には、ＨＤＭＩケーブル２１はＨＰＤ（Hot  Plug  Detector）機能を有し、ＨＤＭＩポート２０は、このＨＰＤから、接続の有無の情報を受け取る。ＨＤＭＩポート２０は、ＨＰＤから受け取った接続の有無の情報を、装置本体内部の通信線を介して制御部４に送信する。
【００３１】
制御部４は、例えばマイクロコンピュータで構成されている。また、制御部４は、上記主制御プログラムで処理されるデータを展開するためのワークフィールドとしてのＲＡＭ４Ａを内臓する。制御部４は、光ディスク装置１にユーザから入力された命令に応じて光ディスク装置１の各部を制御する。
【００３２】
なお、実際の光ディスク装置では、読取時や記録時に、レーザ光の照射位置を光ディスクのトラックの中心に合わせるトラッキングサーボ制御と、レーザ光の合焦位置を光ディスクの記録面に合わせるフォーカスサーボ制御と、を行っているが、本発明の実施形態では図示を省略している。
また、この実施形態では、処理装置としてテレビジョン１０１を説明しているが、表示機能だけのモニタでも構わない。この場合、モニタは、ＥＤＩＤの通信において、同モニタが対応する出力画像の全形式だけ（即ち画像のスペック）が記述されたＥＤＩＤを光ディスク装置１に送信する。
【００３３】
図２は、本発明の実施形態である光ディスク装置において制御部４が行う動作を示すフローチャートである。図３は、ＲＡＭ４Ａ上に展開されたＥＤＩＤの内容を示す図である。図３（Ａ）は、ＥＤＩＤの通信に成功した時のＥＤＩＤの内容を示す図であり、図３（Ｂ）は、ＥＤＩＤの通信に失敗した時のＥＤＩＤの内容を示す図である。図２の動作は、例えば、光ディスク装置１とテレビジョン１０１とを接続した状態で、ユーザが電源キーを押下して装置本体１の電源をオンした時の動作である。
【００３４】
電源キーが押下されると、制御部４は、光ディスク装置１とテレビジョン１０１との接続を検知して、テレビジョン１０１とＨＤＭＩケーブルを介してＥＤＩＤの通信を行う（Ｓ１）。通信により取得されるＥＤＩＤは、制御部４のＲＡＭ４Ａに展開される。ＥＤＩＤは、テレビジョン１０１のスペック（仕様や特性）を示す情報であり、ＥＤＩＤには、テレビジョン１０１が対応する出力画像の全形式又は出力音声の全形式が記述されている。ＥＤＩＤには、テレビジョン１０１が対応する解像度、アスペクト比、及び音声フォーマット等が記述される。
【００３５】
ＥＤＩＤの通信が終了すると（Ｓ２）、制御部４は、ＲＡＭ４Ａ上に展開したＥＤＩＤを解析して、ＥＤＩＤの内容を調べる（Ｓ３）。このＥＤＩＤの解析では、展開されているＥＤＩＤのデータ構造に応じて、誤り検出、誤り訂正などが行われる。さらに、このＥＤＩＤの解析では、ＥＤＩＤのデータがエンコードされていれば、デコードも行われる。この解析により、ＥＤＩＤの内容が明らかになる（図３参照）。
【００３６】
そして、制御部４は、ＥＤＩＤの内容に基づいて、ＥＤＩＤの通信が成功したか否かを判断する（Ｓ４）。具体的には、制御部４は、ＥＤＩＤに、画像の全形式と音声の全形式とが全て記述されているかどうかを判断する。図３の（Ａ）に示すように、画像の全形式と音声の全形式とが全て記述されている場合、ＥＤＩＤの通信は成功である。逆に、図３の（Ｂ）に示すように、画像の全形式の一部である解像度が記述されていない場合、ＥＤＩＤの通信は失敗である。この場合、接続されているテレビジョン１０１のスペックが光ディスク装置１側で不明である。ＥＤＩＤの通信は、通信エラー等により失敗する。
なお、記述されている形式であるアスペクト比、音声フォーマットは、それぞれ、「４：３、１６：９」、「ドルビーデジタル」である。
【００３７】
ＥＤＩＤの通信が成功した場合、具体的には取得したＥＤＩＤに画像の全形式と音声の全形式とが全て記述されている場合（図３の（Ａ）参照）、制御部４は、音声処理部１１及び画像処理部１３が出力するコンテンツデータの形式を、該ＥＤＩＤに基づいて設定する（Ｓ５）。そして、制御部４は、設定した形式で画像データと音声データの出力を開始し（Ｓ６）、本処理を終了する。
【００３８】
一方、ＥＤＩＤの通信が失敗した場合、具体的には取得したＥＤＩＤに画像の全形式と音声の全形式とが一部記述されていない場合（図３の（Ｂ）参照）、制御部４は、次の処理を行う。制御部４は、音声処理部１１及び画像処理部１３が出力するコンテンツデータの形式を、記述されていない一部の形式については所定形式に設定し（Ｓ７）、記述されている形式については該ＥＤＩＤに基づいて設定する（Ｓ８）。所定形式は、流通しているテレビジョンにおいて汎用性が高い形式に予め定められる。この実施形態では、記述されていない形式である解像度を、仮に、「４８０ｐ」に設定する。
最後に、制御部４は、設定した形式で画像データと音声データの出力を開始し（Ｓ６）、本処理を終了する。この結果、光ディスク１００に記録されているコンテンツデータが解像度「７２０ｐ」、アスペクト比「１６：９」、音声フォーマット「ドルビーデジタル」である場合、音声処理部１１及び画像処理部１３は、解像度「４８０ｐ」、アスペクト比「１６：９」、音声フォーマット「ドルビーデジタル」でコンテンツデータをテレビジョン１０１に出力する。
【００３９】
Ｓ７及びＳ８により、光ディスク装置１は、出力形式を全て設定できるため、エラー終了することがない。そのため、光ディスク装置１では、ＥＤＩＤの一部が欠損していた場合でも、テレビジョン１０１から画像や音声が再生される。
よって、ＥＤＩＤに関する通信が失敗しても、ユーザが、光ディスク１００に記録されている画像や音声を視聴できる。そのため、光ディスク装置１では、装置本体が故障したのではないかとユーザに誤解されない。従って、光ディスク装置１がクレームの対象となることを防止できる。
【図面の簡単な説明】
【００４０】
【図１】本発明の実施形態である光ディスク装置の主要な構成を示すブロック図
【図２】本発明の実施形態である光ディスク装置において制御部４が行う動作を示すフローチャート
【図３】ＲＡＭ４Ａ上に展開されたＥＤＩＤの内容を示す図
【符号の説明】
【００４１】
１−光ディスク装置
２−ピックアップヘッド
３−再生部
４−制御部
４Ａ−ＲＡＭ
５−操作部
６−記憶部
７−表示部
１１−音声処理部
１３−画像処理部
２０−ＨＤＭＩポート
２１−ＨＤＭＩケーブル
１００−光ディスク
１０１−テレビジョン
【図１】
2009017082.tif 000003
【図２】
2009017082.tif 000004
【図３】
2009017082.tif 000005